(57)【要約】本発明は、ＯＬＥＤ２０のような電流駆動型の放出性素子、及びアナログデータ信号Ｖinを受信するためのデータ入力１７を有するアクティブマトリクス型ディスプレイにおける画素セルに関する。画素は、それぞれが電源１６に接続され、データ信号に従って放出性素子を駆動するために構成される少なくとも２つの駆動素子１２，１４、及び選択信号２１，２３に応答して、データ信号を少なくとも１つの駆動手段１２，１４に供給するための選択手段２２，２４を有している。さらに、それぞれの駆動素子は、所与のデータ信号に応答して異なる駆動電流レンジで放出性の素子を駆動するために適合される。これにより、閾値電圧に余りに近過ぎるデータ電圧を回避しつつ、要求される明るさのレンジを得ることができる。
2006509233.tif 000002
【特許請求の範囲】
【請求項１】
電流駆動型の電子放出素子と、
アナログデータ信号を受信するデータ入力と、
それぞれが電源に接続され、該データ信号に従って該電子放出素子を駆動するために構成される少なくとも２つの駆動素子と、
選択信号に応答して、該データ信号を該駆動素子の少なくとも１つに供給するための選択手段とを有し、
それぞれの駆動素子は、所与のデータ信号に応答して異なる駆動電流レンジで該電子放出素子を駆動するために適合される、
ことを特徴とするアクティブマトリクス型ディスプレイにおける画素セル。
【請求項２】
該選択手段は、それぞれが個別の選択信号が提供されるために構成される少なくとも２つのスイッチを有し、該選択信号は、所与のデータ信号から生じた駆動電流レンジを決定する、
請求項１記載の画素セル。
【請求項３】
フレーム周期の間、それぞれのスイッチは、オン又はオフのいずれかに設定される選択信号を受信するために構成される、
請求項０記載の画素セル。
【請求項４】
フレーム周期の間、それぞれのスイッチは、交互にオン及びオフにされる選択信号を受信するために構成され、該データ入力は、該フレーム周期の間のみにイネーブルにされるデータ信号を受信するために構成される、
請求項０記載の画素セル。
【請求項５】
該駆動素子は、異なるトランジスタのチャネルの寸法を有するトランジスタを含む、
請求項１乃至４のいずれか記載の画素セル。
【請求項６】
該電流駆動型の電子放出素子は、有機発光ダイオードである、
請求項１乃至４のいずれか記載の画素セル。
【請求項７】
請求項０乃至０のいずれか記載の複数の画素セルと、
第一の電圧レンジに属するアナログビデオ信号を受信し、第二の、より狭い電圧レンジに属するデータ信号を発生し、該データ信号を所望の駆動電流レンジを示す選択信号と関連付けするために構成されるコントローラと、
該データ信号及び該選択信号を該画素セルのうちの１つに提供するための手段と、
を有することを特徴とするディスプレイ装置。
【請求項８】
該第一の電圧レンジは、該第二の電圧レンジにおける電圧よりも画素セルの駆動素子の閾値に近い電圧を含む、
請求項０記載のディスプレイ装置。
【請求項９】
電子放出素子と、所与のデータ信号に応答して異なる駆動電流レンジで電子放出素子を駆動するためにそれぞれ適合される、該電子放出素子を駆動するための少なくとも２つの駆動素子とを有する画素セルを駆動するために方法であって、
第一の電圧レンジに属するアナログビデオ信号に基づいて、第二の、より狭い電圧レンジに属するデータ信号を発生し、該データ信号を所望の駆動電流レンジを示す選択信号と関連付けするステップと、
該所望の駆動電流レンジにおける該電子放出素子を駆動可能な画素セルにおける駆動素子に該データ信号を供給するステップと、
を有することを特徴とする方法。
【請求項１０】
該第一の電圧レンジは、該第二の電圧レンジにおける電圧よりも画素セルの駆動素子の閾値電圧に近い電圧を含む、
請求項０記載の方法。
【請求項１１】
該選択信号は、それぞれ個別のスイッチに接続される、少なくとも２つの選択信号を有する、
請求項０乃至０のいずれか記載の方法。
【請求項１２】
フレーム周期の間、それぞれの選択信号はオン又はオフのいずれかに設定される、
請求項０記載の方法。
【請求項１３】
フレーム周期の間、それぞれの選択信号は、該フレーム周期の一部の間のオンに設定され、該データ信号は、該フレーム信号の一部の間にイネーブルにされる、
請求項０記載の方法。
【発明の詳細な説明】
【技術分野】
【０００１】
本発明は、有機発光ダイオード（OLED:  Organic  Light  Emitting  Diode）のような発光素子、及びアナログデータ信号を受信するためのデータ入力を有するアクティブマトリクス型ディスプレイにおける画素セルに関する。また、本発明は、かかる画素セルを有するディスプレイに関し、かかる画素セルのための駆動方法に関する。
【背景技術】
【０００２】
ＡＭ−ＯＬＥＤのような大型のアクティブマトリクス型ディスプレイにとって、高分子及び微小分子の両方、ディスプレイの一様性は、最も重要な問題のうちの１つである。ディスプレイの非一様性のための主要な理由は、多結晶シリコン基板間の画素駆動トランジスタの閾値電圧の変動である。
【０００３】
図１には、従来のＡＭ−ＯＬＥＤディスプレイ用の画素回路が示されている。この画素回路は、データ電圧Ｖinのストアポイント２への書き込みを可能にする選択トランジスタ２を有している。この電圧は、電力ライン４に関して駆動トランジスタ３のゲート電圧を決定する。ゲート電圧Ｖgsが閾値電圧Ｖtよりも大きい場合、ＯＬＥＤ５に電流が伝送され、光が発生される。式Ｌ∝Ｗ（Ｖgs−Ｖt）2において、Ｌは照度の明るさであり、Ｗは駆動トランジスタのチャネル幅である。この関係は、図２に示されている（なお、トランジスタの駆動をアクチベートするためにＶtよりもＶgsは実際に低くあるべきであるように、図２におけるＶgs及びＶtは負である）。閾値電圧に近い電圧での動作は、低い明るさのレベルを示唆し、この低い明るさレベルは、グレイスケールの画像の満足のいく表示のために本質的に必要なものである。しかし、この領域は、如何なる閾値の変動に対しても非常に感度が高く、したがって非一様性が高い。逆に、明るさレベルが高くなると、一様性が良好になる。
【発明の開示】
【発明が解決しようとする課題】
【０００４】
本発明の目的は、アクティブマトリクス型ディスプレイの非一様性を改善することにあり、また、低い明るさレベルでの非一様性を改善することにある。
【課題を解決するための手段】
【０００５】
本発明の第一の態様によれば、上記目的及び他の目的は、導入部で記載されたタイプの画素セルにより達成され、それぞれのエレメントが電源に接続され、かつデータ信号に従って発光素子を駆動するために構成される少なくとも２つの駆動エレメント、及び選択信号に応答して、該データ信号を少なくとも１つの駆動エレメントに供給するための選択手段を有している。さらに、それぞれの駆動素子は、所与のデータ信号に応答して、異なる駆動電流レンジで発光素子を駆動するために適合される。
【０００６】
本発明の第二の態様によれば、上記目的及び他の目的は、発光素子、及びそれぞれの駆動エレメントが所与のデータ信号に応答して異なる駆動電流レンジで発光素子を駆動するために適合される、発光素子を駆動するための少なくとも２つの駆動素子を有する画素セルを駆動するための方法により達成される。本方法は、第一の電圧レンジに属するアナログビデオ信号に基づいて、第二のより狭い電圧レンジに属するデータ信号を発生するステップ、該データ信号と所望の駆動電流レンジを示す選択信号と関連付けするステップ、及び該データ信号及び該選択信号を該画素セルに供給するステップを有している。
【０００７】
選択信号は、所望の駆動電流レンジを発生するために構成される、適切な駆動エレメントに第二のデータ信号を向けるために使用される。
【０００８】
本発明の更なる態様によれば、上記目的及び他の目的は、本発明の第一の態様に係る複数の画素セルを有するディスプレイ装置により達成される。ディスプレイは、第一の電圧レンジに属する第一のアナログデータ信号を受信し、第二のより狭い電圧レンジに属する第二のアナログデータ信号を発生し、該データ信号を所望の駆動電流レンジを示す選択信号と関連付けするために構成される制御ユニットを更に備えている。また、ディスプレイは、該データ信号及び該選択信号を該画素セルのうちの１つに供給するための手段を有している。
【０００９】
さらに、所望の駆動電流レンジを発生するために構成される、適切な駆動エレメントに第二のデータ信号を向けるために選択信号が使用される。
【００１０】
本発明は、所定の要求される駆動電流レンジを表している、より大きな電圧レンジを選択信号に関連するより小さな電圧レンジにマッピングするという考えに基づいている。次いで、このアナログデータ信号は、指定された電圧レンジに属しており、選択信号を使用して適切な駆動素子に向けられる。選択された駆動素子は、特定の駆動電流レンジを発生するために適合され、全体の要求される駆動電流レンジを得ることができる。
【００１１】
たとえば、第一の駆動素子は、レンジＬ１−Ｌ２における明るさを生じる駆動電流を生成することができ、第二の駆動素子は、レンジＬ２−Ｌ３における明るさを生じる駆動電流を生成することができ、共に同じデータ信号レンジについて、閾値電圧から安全に分離される。本発明に係るこれら駆動素子の組み合わせは、同じ制限されたデータ信号電圧レンからのレンジＬ１−Ｌ３である明るさを発生可能な画素セルを生じる。
【００１２】
複数の駆動素子をもつ画素セルは、異なる駆動電圧をそれぞれ提供するものであって、たとえば、WO02/17289号から知られる。しかし、WO02/17289号に係る装置は、デジタルデータ信号に向けられ、異なる駆動電圧は、異なるビットのデータ信号に対応する。言い換えれば、WO02/17289号に係る画素セルでは、全ての駆動素子は、（同じ選択信号に接続される）同時に選択される。次いで、それぞれの駆動信号には、１ビットのデータ信号が与えられ、このビット値は、特定の素子がアクチベートされたかを判定する。要するに、それぞれの画素セルには、１つの共通の選択信号であって、幾つかの異なるデータ信号が提供される。
【００１３】
本発明によれば、対照的に、選択信号は、それぞれ個々の駆動信号を制御するために構成される。次いで、提供されるアナログデータ信号には、それぞれアクチベートされた駆動素子に提供される。
【００１４】
好適な実施の形態によれば、第一の電圧レンジは、第二の電圧レンジにおける如何なる電圧よりも画素セルの駆動素子の閾値電圧により近い電圧を有している。これにより、閾値電圧に余りに近いデータ電圧を回避しつつ、満足することのできる光の放出レンジを得ることができる。
【００１５】
選択手段は、少なくとも２つのスイッチを有しており、それぞれのスイッチには、個別の選択信号が提供され、これにより、所与のデータ信号から生じる駆動電流レンジを決定することができる。これは、選択手段を実現するための効果的なやり方である。
【００１６】
それぞれのスイッチは、全体のフレーム周期の間に（すなわち、スイッチに接続される駆動手段をイネーブル又はディスエーブルにする）ＯＮ又はＯＦＦのいずれかに設定される選択信号を受信するために構成することができる。このことは、データ信号を全体の周期の間にスイッチに供給することができ、ＯＮ信号を受信しているスイッチのみがデータ信号をそれら駆動信号に提供することを意味している。
【００１７】
代替的に、それぞれの信号は、フレーム周期の間にＯＮ及びＯＦＦに交互にされる選択信号を受信するために構成される。このケースでは、フレーム周期の一部の間にのみスイッチにデータ信号が供給され、この一部は、ＯＮの選択信号をもつ周期と一致し、それぞれの駆動素子にデータ信号が提供される。利点は、データ信号とは独立に、選択信号を発生することができる点にある。
【００１８】
１つの共通の選択信号から選択信号を発生することが有利である。例として、１つの選択信号は、インバータによるか、又は反対のスイッチング特性をもつスイッチ（たとえば、ＮＭＯＳ及びＰＭＯＳトランジスタ）を使用することで２つの反対の選択信号として容易に使用することができる。
【００１９】
駆動素子は、異なるトランジスタチャネルの寸法を有するトランジスタを有することができ、これにより、異なる駆動電流レンジを達成することができる。
電流駆動型の発光素子は、たとえば有機ＬＥＤ（ＯＬＥＤ）といったＬＥＤとすることができるが、他のタイプの電流駆動型発光素子とすることができる。
本発明のこれらの態様及び他の態様は、添付図面を参照して明らかに記載される好適な実施の形態から明らかである。
【発明を実施するための最良の形態】
【００２０】
図３は、本発明に係る複数の画素セルをもつＯＬＥＤディスプレイ６（たとえば、微小分子又は高分子）を有するアクティブマトリクス型ＯＬＥＤディスプレイ装置を例示している。画素セルは、ディスプレイコントローラ９により制御され、同期ユニット１０により同期される行ドライバ７及び列ドライバ８で個々にアドレス指定される。
【００２１】
図４は、本発明の第一の実施の形態に係る画素セル１１を例示しており、この画素セルは、複数、このケースである２つの駆動素子を、ここでは、電源ライン１６とＯＬＥＤ２０のアノード１８との間に接続される駆動トランジスタ１２，１４の構成で有している。それぞれの駆動トランジスタ１２，１４は、異なるチャネル幅を有しており、同じゲート電圧で供給されるときに異なる駆動電流を発生する。
【００２２】
それぞれの駆動トランジスタ１２，１４のゲート１３，１５は、スイッチ、ここでは選択トランジスタ２２，２４の構成に接続されており、また、メモリ、ここではストレージキャパシタ２６，２８の構成にも接続されている。それぞれのスイッチは、データライン１７からアナログデータ信号を受信し、選択ライン２１，２３から選択信号を受信する。要するに、画素セルは、２つの完全に冗長なスタティックセルを有しており、それぞれは、駆動セル及びメモリセルを有しており、一方は低い方の明るさのためであって、他方は、高い方の明るさのためであり、同じデータ信号であって、異なる選択信号に接続されている。
【００２３】
図５は、第二の実施の形態に係る画素セル１１’を例示している。図４における回路は、スイッチ２２，２４に供給する２つの個別の選択ライン２１，２３を有しており、図５における回路は、両方のトランジスタ２２’，２４’に供給する単一の選択ライン２１’を有している。このケースでは、２つの選択トランジスタは、たとえば、スイッチのうちの１つの前にインバータを設けるか、又は相補的なトランジスタ（ＮＭＯＳ及びＰＭＯＳ）を使用することで、同じ選択信号に異なって反応するために構成される必要がある。
【００２４】
第一の駆動トランジスタ１２の選択の間、データ電圧Ｖinは、データライン１７からストアポイント３０に書き込まれ、第二の駆動トランジスタ１４の選択の間、データ電圧Ｖinは、データライン１７からストアポイント３２に書き込まれる。
【００２５】
記載されたように、２つのトランジスタ１２，１４は、（特に幅である）異なるチャネルサイズを有し、所与のゲート電圧レンジで動作しているとき、異なる明るさレベルをカバーする。
【００２６】
式Ｌ〜Ｗ1（Ｖgs1−Ｖt1）2＋Ｗ2（Ｖgs2−Ｖt2）2では、Ｗ1及びＷ2は、第一及び第二のトランジスタ１２，１４のチャネル幅であり、Ｖgs1，Ｖgs2は、それぞれのトランジスタゲート−ソース間の電圧であり、Ｖt1，Ｖt2は、それぞれのトランジスタの閾値電圧である。Ｗ1＜Ｗ2とすると、Ｗ1をもつトランジスタ１２が低い方の明るさのために使用され、高い方の明るさのためにＷ2をもつトランジスタ１４が使用される。ゲート−ソース間の電圧レンジは、両方のトランジスタ１２，１４について、電圧Ｖgsが閾値電圧Ｖt1，Ｖt2よりも非常に高いように（又は、Ｖgs及びＶtが負であるときに低いように）選択される。
【００２７】
このことは図６に例示されており、Ｌ１とＬ２との間の明るさレベルを発生するために第一のトランジスタ１２が使用され、Ｌ２とＬ３との間の明るさレベルを発生するために第二のトランジスタ１４が使用される。ライン４４の右への領域は、非一様性を回避するために十分に高いゲート電圧を表しており、すなわち、この領域は、トランジスタの閾値電圧よりも十分に高い。図６から明らかなように、Ｌ１とＬ２との間の全体のレンジにおける明るさは、トランジスタ１２とトランジスタ１４との間を切替えることで、（例示される例では、レンジ４Ｖ〜６．５Ｖ内で）この領域におけるゲート電圧により得ることができる。この電圧インターバルで、第一のトランジスタ１２の特性を表している曲線４１は、Ｌ１とＬ２との間であり、第二のトランジスタ１４の特性を表している曲線４２は、Ｌ２とＬ３との間にある。曲線４１と４２のこれらのセクションを結合することで、本発明のこの実施の形態に係る画素セルの特性を表している第三の曲線４３が形成される。
【００２８】
トランジスタ１４によるレベルＬ１を得るため、ゲート電圧は、２Ｖ前後に減少される必要があり、これは非一様性についてリスクを増加する。トランジスタ１２のみにより、ゲート電圧は、４Ｖ以下となる必要がないが、おそらく１０Ｖを遥かに超えるような非常に高い電圧は、Ｌ３に到達することが必要とされる。
【００２９】
図６では、レベルＬ１及びＬ２は、同じ電圧（４Ｖ）をトランジスタ１２及び１４のそれぞれ印加することで得られ、同様なことがレベルＬ２及びＬ３（６，５Ｖ）について当てはまる。なお、これは特別なケースのみであって、本発明を制限するものではない。しかし、トランジスタの動作レンジに関する満足のいく利用を可能にする。
【００３０】
Ｌ１以下の明るさレベルに対応するデータ信号について、両方の駆動トランジスタには、閾値電圧Ｖt以下のゲート電圧が提供され、すなわち、画素は、「暗い」状態にあり、すなわちオフにされる。Ｌ１の選択は、第一のトランジスタのゲート１３に接続されたときにこの明るさレベルを生じるゲート電圧Ｖgsが閾値電圧Ｖtよりも十分に高いように、十分に高くなければならない。同時に、Ｌ１は、良好な知覚を与えるため、すなわち暗い状態の不必要な輪郭を回避するため、十分に低くなければならない。
【００３１】
本発明に係る画素による更なる利点は、第一の駆動素子１２が、光−電圧曲線４１がフルレンジをカバーする遷移に比較して非常に小さいので、トランジスタ間の変動に対して感度が低いことである。したがって、Ｌ１よりも低い明るさレベルは、従来の画素におけるよりも、トランジスタ１２を使用して許容可能な非一様性で得ることができる。
【００３２】
印加されたゲート電圧を低くすることなしにレベルＬ１を更に低下させる可能性のあるやり方は、時間変調技術を使用することである。言い換えれば、フレーム周期内の平均的な光が低減されるように、ＯＬＥＤの発光時間が変調される。
【００３３】
ＯＬＥＤの時間変調を達成するための異なるやり方が利用可能である。
カソードパルスにより、フレーム周期が２つの周期に分割される。第一の周期の間、共通のカソードは、ＯＬＥＤを通して流れる電流を阻止し、これにより発光を回避するための値（たとえば、電力レベルに等しい）に設定される。第二の周期の間、カソードは、通常の電圧に戻され、画素は、通常のように発光する。
【００３４】
別の技術は、フレーム周期を二倍にし、１フレームおきの間にのみ発光し、その間にオフにしつつ画素を制御する。
さらに、他のソリューションは、駆動ユニットをリセットするためにスイッチを追加することである。駆動素子の選択を達成するため、異なる駆動スキームを利用することができる。１つの代替によれば、データ信号は、全体のフレーム周期の間にイネーブルにされる。選択信号は、この周期の間に所望の駆動素子を選択するために調整される。これは、それぞれのフレーム周期の間に選択信号の独立な制御を必要とする。
【００３５】
図７に例示される別の代替によれば、それぞれのスイッチ５１，５２は、フレーム周期ＴFの一部の間にイネーブルにされる。データ信号５３ａ，５３ｂは、正しい駆動素子が選択されるときに一部のみの間にイネーブルにされるように、これに応じて適応される。信号５３ａは、データ信号を（選択信号５１がイネーブルにされたときにイネーブルにされる）第一の駆動素子に印加することを表し、信号５３ｂは、データ信号を第二の駆動素子に印加することを表している。この代替は、所望の駆動電流レンジに係るそれぞれのフレーム周期の間にデータ信号を適合しつつ、同じ交互に変わる選択信号を常時印加することを可能にするので現在のところ好適である。
【００３６】
さらに、図７から明らかであるように、好適な実施の形態では、２つのトランジスタは、同時にアクチベート（ＯＮ）されていない。この可能性についてアレンジすることは有利な場合があり、そのケースでは、最大の利用可能な明るさレベルは、最大の利用可能な明るさレベルは、図６におけるＬ２及びＬ３の合計である。トランジスタが同時にアクチベートすることができる場合、画素セルは、幾つかの冗長度を有し、レンジ「Ｌ２，Ｌ３」における値は、第二の駆動素子１４から、又は第一及び第二の駆動素子１２，１４の組み合わせから得ることができる。他方で、新たなレンジ「Ｌ３，Ｌ３＋Ｌ２」が利用可能にされる。
【００３７】
図３に戻り、行及び列ドライバ７，８に接続されるディスプレイコントローラ９は、表示されるべき画像の表すビデオデータ信号６１を受信するために構成される。データ信号６１は、たとえば、グレイスケールレベルである、それぞれの画素の明るさレベルに関する情報を含んでいる。それぞれの画素値は、特定のレンジにおける画素の明るさレベルに対応する特定のレンジ「Ｖmin，Ｖmax」におけるアナログ電圧レベルＶである。
【００３８】
本発明によれば、ディスプレイコントローラ９には、このデジタル信号６１をより小さなレンジ「Ｖmin（ｘ），Ｖmax（ｘ）」からなるセットにマッピングするための手段が設けられており、ここでｘ＝１，２，．．，であり、対応するトランジスタの所望の動作レンジにそれぞれ対応しており、これにより、画素セルについてデータ入力電圧Ｖinを発生することができる。先によれば、Ｖmin（ｘ）に対応するゲート−ソース電圧は、先にＶｔ（ｘ）の値よりも非常に大きく、ここで、Ｖt（ｘ）は、トランジスタｘの閾値電圧である。マッピング手段は、ルックアップテーブル６２、及びディスプレイコントローラ９に配置される適切なソフトウェアを含むことができる。マッピング手段は、どの駆動素子についてデータ信号が意図されるかを示すため、（たとえば、図７によれば）少なくとも１つの選択信号に関してデータ信号のタイミングを適合するために構成される。制御は、行及び列ドライバ７，８に本発明に従って時間調整されるデータ及び選択信号を提供することで、コントローラ９により直接的に実行することができる。代替的に、（たとえば、図７によれば）データ及び選択信号の適切なタイミングを実行するのをドライバが可能とするため、ドライバ７，８に制御信号ａ0を提供することで、間接的に制御を実行することができる。
【００３９】
なお、先に述べたように、選択信号は、画素セルの設計に依存して１以上の信号を含むことができる。
【００４０】
２つの駆動トランジスタのけースでは、２つの電圧レンジが存在し、この場合、第一のレンジ（ｘ＝１）はレンジ「Ｌ１，Ｌ２」における明るさレベルに対応し、第二のレンジ（ｘ＝２）はレンジ「Ｌ２，Ｌ３」におけるレベルに対応する。言い換えれば、第一のレンジの上限Ｖmax（１）及び下限Ｖmin（１）に等しい電圧は、第一のトランジスタＴ１のゲートに接続されたとき、明るさＬ１及びＬ２にそれぞれなる。同様に、第二のレンジの下限及び上限Ｖmin（２）及びＶmax（２）に等しい電圧は、第二のトランジスタＴ２のゲートに接続されたとき、明るさＬ２及びＬ３となる。さらに、冗長度を回避するため、Ｔ２のゲートに接続されるＶmax（１）に等しい電圧は、Ｔ２のゲートに接続されるＶmin（２）に等しい電圧と同じ明るさＬ２となる。
【００４１】
制御信号ａ0は、所望の明るさとなるため、結果的に得られるアナログデータ信号Ｖinがどの駆動素子に接続されるべきかを示す。先に説明されたように、制御信号は、必ずしも明示的に発生される必要はないが、適切なタイミングをコントローラ９により直接に実行することができる。
【００４２】
先に説明されたように、Ｌ１以下の明るさレベルに対応するデータ信号は、個別に扱われる必要があり、現在記載される例では、かかるデータ信号は、結果的に得られるゲート−ソース電圧が閾値電圧よりも低いように、値Ｖ0に簡単にマッピングされる。これは、以下のマッピングとなる。
【００４３】
【表１】
2006509233.tif 000003
特別なケースでは、図６に例示されるように共に４Ｖである、Ｖmin（２）＝Ｖmin（１）であるように、Ｗ１及びＷ２に従ってＶｔ（１）＝Ｖｔ（２）が選択される。さらに、Ｖmax（１）は、図４に例示されるように共に６．５Ｖである、Ｖmax（２）に等しく選択することができ、図６における例では、２Ｖと６．５Ｖとの間のデータ信号は、４Ｖ前後から６．５Ｖ前後までの１つの電圧レンジにマッピングされ、０又は１に等しい制御信号ａ0は、正しい駆動素子を示すために発生される。
【００４４】
なお、先に記載された好適な実施の形態は、特許請求の範囲から逸脱することなしに当業者により変更される場合がある。たとえば、有効であると考えられる場合に、２を超える素子が画素セルに含まれる場合がある。図６に例示される原理は、本質的に同じままである。また、他のコンポーネントは、先に説明されたＰＭＯＳ及びＮＭＯＳタイプのトランジスタを置き換え又は補足する、スイッチ及び駆動素子として使用される場合がある。メモリ素子は、キャパシタである必要はないが、別のタイプのスタティックメモリであっても同様に良好である。
【００４５】
さらに、本発明は、ＯＬＥＤディスプレイに関連して記載されたが、本発明の原理は、たとえば、フィールドエミッションディスプレイ及びエレクトロルミネッセントディスプレイのような、アクティブマトリクス型のアドレス指定をもつ他の電流駆動型の放出性ディスプレイに拡張することができる。
【図面の簡単な説明】
【００４６】
【図１】従来技術に係る画素セルの回路図である。
【図２】従来の駆動素子についてゲート電圧と得られる明るさとの間の関係を示す図である。
【図３】本発明の実施の形態に係る画素セルのブロック図である。
【図４】本発明の第一の実施の形態に係る画素セルの回路図である。
【図５】本発明の第二の実施の形態に係る画素セルの回路図である。
【図６】２つの駆動素子をもつ本発明に係る画素セルについてゲート電圧と結果的に生じる明るさとの間の関係を示す図である。
【図７】図５における画素回路により受信されるデータ及び選択信号のタイミング図である。
【図１】
2006509233.tif 000004
【図２】
2006509233.tif 000005
【図３】
2006509233.tif 000006
【図４】
2006509233.tif 000007
【図５】
2006509233.tif 000008
【図６】
2006509233.tif 000009
【図７】
2006509233.tif 000010
【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
電流駆動型の電子放出素子と、
アナログデータ信号を受信するデータ入力と、
それぞれが電源に接続され、該データ信号に従って該電子放出素子を駆動するために構成される少なくとも２つの駆動素子と、
選択信号に応答して、該データ信号を該駆動素子の少なくとも１つに供給するための選択手段とを有し、
それぞれの駆動素子は、所与のデータ信号に応答して異なる駆動電流レンジで該電子放出素子を駆動するために適合される、
ことを特徴とするアクティブマトリクス型ディスプレイにおける画素セル。
【請求項２】
該選択手段は、それぞれが個別の選択信号が提供されるために構成される少なくとも２つのスイッチを有し、該選択信号は、所与のデータ信号から生じた駆動電流レンジを決定する、
請求項１記載の画素セル。
【請求項３】
フレーム周期の間、それぞれのスイッチは、オン又はオフのいずれかに設定される選択信号を受信するために構成される、
請求項２記載の画素セル。
【請求項４】
フレーム周期の間、それぞれのスイッチは、交互にオン及びオフにされる選択信号を受信するために構成され、該データ入力は、該フレーム周期の間のみにイネーブルにされるデータ信号を受信するために構成される、
請求項２記載の画素セル。
【請求項５】
該駆動素子は、異なるトランジスタのチャネルの寸法を有するトランジスタを含む、
請求項１乃至４のいずれか記載の画素セル。
【請求項６】
該電流駆動型の電子放出素子は、有機発光ダイオードである、
請求項１乃至４のいずれか記載の画素セル。
【請求項７】
請求項１乃至６のいずれか記載の複数の画素セルと、
第一の電圧レンジに属するアナログビデオ信号を受信し、第二の、より狭い電圧レンジに属するデータ信号を発生し、該データ信号を所望の駆動電流レンジを示す選択信号と関連付けするために構成されるコントローラと、
該データ信号及び該選択信号を該画素セルのうちの１つに提供するための手段と、
を有することを特徴とするディスプレイ装置。
【請求項８】
該第一の電圧レンジは、該第二の電圧レンジにおける電圧よりも画素セルの駆動素子の閾値に近い電圧を含む、
請求項７記載のディスプレイ装置。
【請求項９】
電子放出素子と、所与のデータ信号に応答して異なる駆動電流レンジで電子放出素子を駆動するためにそれぞれ適合される、該電子放出素子を駆動するための少なくとも２つの駆動素子とを有する画素セルを駆動するために方法であって、
第一の電圧レンジに属するアナログビデオ信号に基づいて、第二の、より狭い電圧レンジに属するデータ信号を発生し、該データ信号を所望の駆動電流レンジを示す選択信号と関連付けするステップと、
該所望の駆動電流レンジにおける該電子放出素子を駆動可能な画素セルにおける駆動素子に該データ信号を供給するステップと、
を有することを特徴とする方法。
【請求項１０】
該第一の電圧レンジは、該第二の電圧レンジにおける電圧よりも画素セルの駆動素子の閾値電圧に近い電圧を含む、
請求項９記載の方法。
【請求項１１】
該選択信号は、それぞれ個別のスイッチに接続される、少なくとも２つの選択信号を有する、
請求項９又は１０のいずれか記載の方法。
【請求項１２】
フレーム周期の間、それぞれの選択信号はオン又はオフのいずれかに設定される、
請求項９記載の方法。
【請求項１３】
フレーム周期の間、それぞれの選択信号は、該フレーム周期の一部の間のオンに設定され、該データ信号は、該フレーム信号の一部の間にイネーブルにされる、
請求項９記載の方法。
【国際調査報告】
2006509233.tif 000011
2006509233.tif 000012